(57)【要約】【課題】効率的な、通信局舎内における作業順序を作業者に提示する作業順序提示装置を提供する。【解決手段】作業順序提示装置は、作業者の作業対象架をノードとする探索木を生成し、該探索木の各ノードには対応する作業対象架での予定期間から求めた作業終了予定時刻を関連付け、各ノードに対応する作業対象架での作業終了予定時刻が、該作業対象架での完了時刻より遅いノード以下の枝切りを行い、かつ、既に決定した他の作業者の作業により出入りがブロックされている作業対象架に対応するノードと接続する枝を、前記既に決定した他の作業者の作業対象架での作業時間帯により判定して、判定した枝の枝切りを行い、前記枝切り後の探索木により該作業者が作業する作業対象架の順序を決定する。【選択図】図３
2013206150.tif 000002
【特許請求の範囲】
【請求項１】
通信局舎内において、作業者が作業を行う作業対象架の順序を示す情報を、該作業者が携帯する無線端末に送信する作業順序提示装置であって、
前記通信局舎における各架の配置を示す情報と、各作業者について、前記通信局舎における作業対象架と、前記作業対象架で行う作業の予定期間と、前記作業対象架における作業を完了させるべき時刻である完了時刻と、を示す情報を保持する保持手段と、
各作業者それぞれについて、作業者が作業する作業対象架の順序を決定する決定手段と、
作業者についての決定した作業対象架の順序を示す情報を、該作業者が携帯する無線端末に送信する送信手段と、
を備えており、
前記決定手段は、作業者の作業対象架をノードとする探索木を生成し、該探索木の各ノードには対応する作業対象架での予定期間から求めた作業終了予定時刻を関連付け、各ノードに対応する作業対象架での作業終了予定時刻が、該作業対象架での完了時刻より遅いノード以下の枝切りを行い、かつ、既に決定した他の作業者の作業により出入りがブロックされている作業対象架に対応するノードと接続する枝を、前記既に決定した他の作業者の作業対象架での作業時間帯により判定して、判定した枝の枝切りを行い、前記枝切り後の探索木により該作業者が作業する作業対象架の順序を決定する、
ことを特徴とする作業順序提示装置。
【請求項２】
作業者が携帯する無線端末より、作業対象架での作業終了時刻を示す情報を受信すると、前記決定手段は、該作業者の作業が終了していない作業対象架の順序を更新し、
前記送信手段は、前記更新した順序を該作業者が携帯する無線端末に送信する、
ことを特徴とする請求項１に記載の作業順序提示装置。
【請求項３】
前記決定手段は、作業者から受信する作業対象架での作業終了時刻と、該作業対象架における作業終了予定時刻との差が所定の閾値より大きい場合と、該作業者に作業対象架の順序を示す情報を通知した時点において既に決定していた他の作業者の作業対象架での作業時間帯が、該通知した時点から変更された場合に、該作業者の作業が終了していない作業対象架の順序を更新する、
ことを特徴とする請求項２に記載の作業順序提示装置。
【請求項４】
前記決定手段は、作業者の作業対象架の順序と共に、前記既に決定した他の作業者の作業対象架での作業時間帯から、架列のどちらの側から作業対象架にアクセスするかを決定し、
前記送信手段は、前記決定した作業対象架にアクセスする側を該作業者が携帯する無線端末に送信する、
ことを特徴とする請求項１から３のいずれか１項に記載の作業順序提示装置。
【請求項５】
請求項１から４のいずれか１項に記載の作業順序提示装置としてコンピュータを機能させるプログラム。
【発明の詳細な説明】
【技術分野】
【０００１】
本発明は、通信局舎内における作業順序を作業者に提示する作業順序提示装置に関する。
【背景技術】
【０００２】
通信局舎内においては、多数の装置が架列に配置されている。また、通信局舎において、例えば、分配架におけるジャンパ・ケーブルの接続、抜去等の作業や、通信装置の増設、撤去、試験といった作業が日々行われている。ここで、局舎内は多くの架列が配置されているため見通しが悪い上、局舎への装置の収容数を増やすため、各架列間の間隔はあまり広くなく、よって、ある作業により架列間のスペースを完全に塞いでしまうことが生じる。特に、ある架で作業行う必要があったとしても、作業対象架と同じ架列で、作業対象架を挟む２つの他の架で他の作業が同時に行われ、これにより、作業対象架にアクセスするための架列間のスペースが塞がれていると、作業対象架までたどり着けない、或いは、たどり着けるにしても、他の作業を一時的に中断させたり、他の作業のためにスペースに置かれている器具や測定器等を一時的に移動させたりしなければならない。
【０００３】
また、上述した例の様に、作業対象架へのアクセスが完全に塞がれていなくとも、作業対象架と同じ架列で他の作業が行われていると、作業対象架には、他の作業が行われている側とは反対側からアクセスしなければならない。よって、例えば、他の作業が行われていることを知らないと、一旦、他の作業が行われている側からアクセスしようした後に、再度、他の作業が行われている側とは反対側に迂回するなど、移動に無駄が生じる。
【０００４】
例えば、複数の架において作業を行わなければならず、各作業については、その必須終了時刻が規定されている場合を考える。この場合、各作業をその必須終了時刻までに終了させ、かつ、他の作業により作業対象架へのアクセスがブロックされている時間帯には当該作業対象架では作業を行わない様にする作業順序を特定できれば便利である。例えば、特許文献１には、移動計画を自律的に計算するロボットが開示されているが、様々な、作業が並行して行われている通信局舎において、他の作業の予定変更等をも考慮すると、移動計画を自律的に計算することはできない。
【先行技術文献】
【特許文献】
【０００５】
【特許文献１】特開２００６−３２６７０３号公報
【発明の概要】
【発明が解決しようとする課題】
【０００６】
本発明は、他の作業やその予定変更を考慮して判断した、効率的な、通信局舎内における作業順序を作業者に提示する作業順序提示装置を提供するものである。
【課題を解決するための手段】
【０００７】
本発明の一側面によると、通信局舎内において、作業者が作業を行う作業対象架の順序を示す情報を、該作業者が携帯する無線端末に送信する作業順序提示装置であって、前記通信局舎における各架の配置を示す情報と、各作業者について、前記通信局舎における作業対象架と、前記作業対象架で行う作業の予定期間と、前記作業対象架における作業を完了させるべき時刻である完了時刻と、を示す情報を保持する保持手段と、各作業者それぞれについて、作業者が作業する作業対象架の順序を決定する決定手段と、作業者についての決定した作業対象架の順序を示す情報を、該作業者が携帯する無線端末に送信する送信手段と、を備えており、前記決定手段は、作業者の作業対象架をノードとする探索木を生成し、該探索木の各ノードには対応する作業対象架での予定期間から求めた作業終了予定時刻を関連付け、各ノードに対応する作業対象架での作業終了予定時刻が、該作業対象架での完了時刻より遅いノード以下の枝切りを行い、かつ、既に決定した他の作業者の作業により出入りがブロックされている作業対象架に対応するノードと接続する枝を、前記既に決定した他の作業者の作業対象架での作業時間帯により判定して、判定した枝の枝切りを行い、前記枝切り後の探索木により該作業者が作業する作業対象架の順序を決定する、ことを特徴とする。
【発明の効果】
【０００８】
作業者に通信局舎内における効率的な架の作業順序を提示することができる。
【図面の簡単な説明】
【０００９】
【図１】一実施形態による作業順序提示システムの概略的な構成図。
【図２】一実施形態による架列と作業箇所を示す図。
【図３】一実施形態による作業順序決定のフローチャート。
【図４】一実施形態による探索木を示す図。
【発明を実施するための形態】
【００１０】
以下、本発明の例示的な実施形態について図面を参照して説明する。なお、以下の各図において、実施形態の理解に必要ではない構成要素については、簡略化のため各図面から省略する。
【００１１】
図１は、本発明による作業順序提示システムの概略的な構成図である。図１において、無線端末１は、作業者が携帯する無線端末１であり、ＰＤＡ等の携帯型のコンピュータ端末や、スマートフォン等である。作業順序提示装置２は、無線ネットワーク３と接続し、複数の無線端末１は、無線により無線ネットワーク３に接続することができる。例えば、無線端末１は、無線ＬＡＮや、携帯電話の各種標準に従う無線インタフェースにより無線ネットワーク３に接続することができる。よって、作業順序提示装置２は、各無線端末１と無線ネットワーク３経由で通信が可能である。ここで、以下の説明において、無線ネットワーク３は、有線及び無線ＬＡＮにより構成されているものとする。しかしながら、無線ネットワーク３は、さらに、インターネットや、通信事業者が提供するネットワークを含むものであっても良い。よって、作業順序提示装置２は、実際に無線端末１を使用する作業者が作業を行う通信局舎とは異なる場所に設置されるものであっても良い。
【００１２】
図２は、以下の説明に使用する架列と、作業箇所を示す図である。図２において、１つの四角形が、通信装置や分配架等の通信設備を表しており、図２おいては、２列ごとに背面を向い合せる状態で架列が１０列ある場合を示している。また、図２において、Ａ〜Ｅで示す架がある作業者による、ある日の作業対象の架であるものとする。さらに、図２の網掛けしている架は、他の作業者が作業を行う架である。例えば、作業対象架Ｂの両隣の架でも、他の作業者による作業が行われており、両隣の架において同時に作業が行われている時間帯においては、作業対象架Ｂにアクセスできない、或いは、アクセスし難く、よって、この時間帯においては作業対象架Ｂで作業を行わない様に作業順序を決定することが好ましい。作業対象架Ｃについても同様である。
【００１３】
また、作業対象架Ｃと作業対象架Ｄの間の架で他の作業が行われていると、作業者は、作業対象架Ｄ側とは反対側から作業対象架Ｃにアクセスしなければならない。よって、この場合には、作業対象架Ｄ側とは反対側から作業対象架Ｃにアクセスすることを作業者に通知することが望ましい。
【００１４】
本実施形態において、ある日の作業手順を決定するにあたり、その日の作業開始前までに、作業順序提示装置２には、作業者ごとに、以下の情報を入力しておくものとする。
１：作業対象架
２：作業対象架において作業に必要な時間（期間）
３：作業対象架における作業の必須終了時刻
なお、各作業対象架の位置についての情報は、予め作業順序提示装置２に保存されているものとする。
【００１５】
作業順序提示装置２は、ある作業者について、一日の作業開始前に、上記情報に基づき図３に示すフローチャートを実行して作業順序を決定し、決定した作業順序と、必要に応じて移動経路を示す情報を当該作業者の無線端末１に送信する。
【００１６】
まず、Ｓ１０において、作業順序提示装置２は、図４に示す様な経路探索木を示す情報を生成する。図４においては、図２の作業対象架Ａを最初の作業箇所とする経路探索木のみを示しているが、実際には、作業対象架Ｂ〜Ｅを最初の作業箇所とする経路探索木も生成する。なお、経路探索木の各ノードをＸＹ座標の点に対応させる。なお、Ｘ軸は時間を表し、ノードのＸ座標の値は、その作業対象架における作業の終了予定時刻に対応させる。つまり、図４において、作業対象架Ａでの作業に必要な時間はｔ１であり、よって、作業対象架ＡのＸ座標の値はｔ１である。また、作業対象架Ｂでの作業に必要な時間はｔ２−ｔ１であり、よって、作業対象架Ａの子ノードである作業対象架ＢのＸ座標の値はｔ２である。つまり、作業対象架Ａでの作業後に作業対象架Ｂで作業を行う場合、作業対象架Ｂでの作業の終了予定時刻はｔ２である。なお、Ｙ座標は列の値である。なお、第１列は、作業対象架における必須終了時刻通りの順に作業対象架を配置し、図４に示す様に、Ｙ座標の増加により、順次、必須終了時刻の遅いものを入れ替えてゆく。
【００１７】
図３に戻り、作業順序提示装置２は、Ｓ１１において、経路探索木のうちの移動不可な枝を判定して枝切りを行う。例えば、図４の作業対象架Ｃを塞ぐように同時に他の作業が行われると、作業対象架Ｃへの移動や、作業対象架Ｃからの移動ができないものとし、作業順序提示装置２は、作業対象架Ｃを塞ぐように同時に作業が行われる時間帯を、これらの作業予定時刻から判定する。そして、作業順序提示装置２は、作業対象架Ｃに至る枝のうち、判定した時間帯に含まれる枝を移動不可な枝と判定する。図４においては、移動可である枝には０を、移動不可である枝には１をつけており、Ｙ座標が５及び６の作業対象架Ｃに至る枝がそれぞれ移動不可であると判定されている。作業順序提示装置２は、移動不可であると判定した枝の枝切りを行う。なお、経路が塞がれているか否かの判定は、作業順序提示装置２が既に決定した他の作業者の作業対象架の順序に基づき決定する。つまり、最初に作業順序を決定する作業者に対しては、移動不可となる枝は存在しない。
【００１８】
続いて、作業順序提示装置２は、Ｓ１２で、各ノードについて、ノードに対応する作業対象架の必須終了時刻から当該ノードのＸ座標の値を引いた値を当該ノードに対応づけて保存する。つまり、ノードに対応する作業対象架の必須終了時刻から、ノードの終了予定時刻を引いた値を当該ノードに対応づけて保存する。また、作業順序提示装置２は、Ｓ１２で求めた値が負となるノードを含む経路を枝切りする。
【００１９】
その後、作業順序提示装置２は、Ｓ１３において、残った経路から任意の１つの経路を選択して、選択した経路の作業対象架の順序を作業順序に決定して、対応する作業者の無線端末１に決定した順序を示す情報を送信する。また、例えば、作業対象架Ｂへの移動時間帯に、作業対象架Ｂのいずれかの側で他の作業が行われている場合には、他の作業が行われているのとは逆側から作業対象架Ｂにアクセスするといった移動経路を示す情報も、作業順序と共に無線端末１に通知する。
【００２０】
作業者は、ある作業対象架での作業が終了すると無線端末１を操作して、無線端末１は、それにより、作業の終了時刻を作業順序提示装置２に通知する。Ｓ１４において、作業順序提示装置２は、無線端末１から、ある作業対象架での作業の終了時刻を示す情報を受け取ると、Ｓ１５において、それによりその他総ての作業が終了するかを判定する。総ての作業が終了する場合には、当該作業者に関する処理を終了する。そうでなければ、作業順序提示装置２は、Ｓ１６において、前回のＳ１３における作業順序の決定及び作業者への通知から、作業予定の変更があるか否かを判定する。ここで作業予定の変更とは、例えば、Ｓ１４で受け取った実際の作業終了時刻が、終了予定時刻より遅い場合及び早い場合と、他の作業者の予定の変更を含む。ここで、他の作業者の予定の変更とは、例えば、前回のＳ１３で作業順序の決定に使用した他の作業者の各架での作業時間帯の変更であり、探索木の枝が移動可であるか不可であるかの判定に影響する情報である。なお、作業終了時刻と終了予定時刻との差が所定の閾値以上の場合に変更有と判定する形態であっても良い。変更がない場合、作業順序提示装置２は、その旨を無線端末１に通知し、作業者は当初の予定通り、次の作業対象架に移動して作業を行う。
【００２１】
一方、何らかの変更がある場合、作業順序提示装置２は、再度、Ｓ１１からの処理を繰り返して、作業を終了していない残りの架について、その順序を再決定する。なお、このとき探索木は、既にＳ１０で生成した探索木を使用する。例えば、図４の探索木で作業対象架Ａ−Ｂ−Ｃ−Ｄ−Ｅの順の経路が選択されており、作業対象架Ａの作業が終了した時点では変更がなく、作業対象架Ｂの作業が終了した時点で変更が生じたものとする。この場合、第１列の作業対象架Ｂの下にある部分木から経路を選択すればよい。また、各ノードには終了予定時刻が対応しているので、作業対象架Ｂでの実際の作業終了時刻の変動を各ノードの終了予定時刻に加算又は減算することで、新たな、終了予定時刻を求めることができる。さらに、変更が他の作業者の予定変更である場合には、Ｓ１１の移動不可の枝切り判定を行うことで経路を決定できる。
【００２２】
以上の構成により作業者に対して効率的な作業順序を提示することができる。なお、上記作業順序提示装置２は、コンピュータを上述した作業順序提示装置２として動作させるプログラムにより実現することができる。これらコンピュータプログラムは、コンピュータが読み取り可能な記憶媒体に記憶されて、又は、ネットワーク経由で配布が可能なものである。
【図１】
2013206150.tif 000003
【図２】
2013206150.tif 000004
【図３】
2013206150.tif 000005
【図４】
2013206150.tif 000006